【事件の表示】
　特許第３７９０４７２号に関する訂正審判事件について、次のとおり審決する。
【結　論】
　特許第３７９０４７２号に係る明細書を本件審判請求書に添付された訂正明細書のとおり訂正することを認める。
【理　由】
１．請求の要旨 
　本件審判の請求の要旨は、特許第３７９０４７２号発明（平成１２年８月１８日特許出願、平成１８年４月７日設定登録）の明細書を審判請求書に添付した訂正明細書のとおり、すなわち、明細書の特許請求の範囲の請求項５の
「　a)　式II：
【化２】（構造式省略）
（式中、
　
----
　XおよびYは、Nであり；
　Zは、Oであり；
　Ar1は、2-ピリジルであり、Ar2は、フェニルであり、ここで、Ar1およびAr2基のうちの少なくとも１つは、-F、-Cl、-Br、-I、-SR、-SOR、-SO2R、-SO2NRR'、-OCOR、-OCONRR'、-NRCOR'、-NRCO2R'、-CN、-CO2R、-CONRR'、-C(O)R、-CH(OR)R'、-CH2(OR)、および-Rからなる群から選択される1以上の基によって置換されており；
　ここで、RまたはR'は、H、CF3、C1-C10アルキル、シクロアルキル、アルキル-アリール、ヘテロシクロアルキル、アリールからなる群から選択され、その際、RとR'は結合して環を形成していてもよい。）
で表される化合物（ただし、3-(2-ピリジル)-5-(2-クロロフェニル)-1,2,4-オキサジアゾール、または3-(2-ピリジル)-5-(3-トリフルオロメチル)フェニル]-1,2,4-オキサジアゾールを除く。）；または
　b)　3-(2-ピリジル)-5-[3-(トリフルオロメトキシ)フェニル]-1,2,4-オキサジアゾール、
　3-(2-ピリジル)-5-(2,3-ジフルオロフェニル)-1,2,4-オキサジアゾール、
　3-(2-ピリジル)-5-(3,5-ジメトキシフェニル)-1,2,4-オキサジアゾール、
　3-(5-フルオロピリド-2-イル)-5-(3,5-ジメトキシフェニル)-1,2,4-オキサジアゾール、
　3-(5-メトキシピリド-2-イル)-5-(3-シアノフェニル)-1,2,4-オキサジアゾール、
　3-(2-ピリジル)-5-(3-ニトロフェニル)-1,2,4-オキサジアゾール、
　2-[3-クロロフェニル]-4-[ピリジン-2-イル]-1,3-オキサゾール、
　2-(3,5-ジクロロフェニル)-4-(2-ピリジル)-1,3-オキサゾール、
　2-(3-クロロフェニル)-4-(2-ピリジル)-1,3-オキサゾール、
　2-(3-メトキシフェニル)-4-(2-ピリジル)-1,3-オキサゾール、
　2-(2-クロロフェニル)-4-(2-ピリジル)-1,3-オキサゾール、
　2-(3-トリフルオロフェニル)-4-(2-ピリジル)-1,3-オキサゾール、
　2-(3-メチルフェニル)-4-(2-ピリジル)-1,3-オキサゾール、
　2-(3-トリフルオロメトキシフェニル)-4-(2-ピリジル)-1,3-オキサゾール、
　2-(2,3-ジフルオロフェニル)-4-(2-ピリジル)-1,3-オキサゾール、
　2-(2,5-ジフルオロフェニル)-4-(2-ピリジル)-1,3-オキサゾール、
　2-(3,5-ジフルオロフェニル)-4-(2-ピリジル)-1,3-オキサゾール、
　2-(3-シアノフェニル)-4-(2-ピリジル)-1,3-オキサゾール、
　2-(3,5-ジメトキシフェニル)-4-(2-ピリジル)-1,3-オキサゾール、
　2-(2,3-ジクロロフェニル)-4-(2-ピリジル)-1,3-オキサゾール、
　2-(3-クロロ-5-シアノフェニル)-4-(2-ピリジル)-1,3-オキサゾール、
　2-(3-フルオロ-5-シアノフェニル)-4-(2-ピリジル)-1,3-オキサゾール、
　2-(3-クロロ-5-フルオロフェニル)-4-(2-ピリジル)-1,3-オキサゾール、
　2-(3-シアノフェニル)-4-(5-クロロピリド-2-イル)-1,3-オキサゾール、
　2-(3-シアノフェニル)-4-(5-フルオロピリド-2-イル)-1,3-オキサゾール、
　2-(3-シアノ-5-フルオロフェニル)-4-(5-フルオロピリド-2-イル)-1,3-オキサゾール、
　2-(3-シアノフェニル)-4-(3-フルオロピリド-2-イル)-1,3-オキサゾール、
　2-(3,5-ジメトキシフェニル)-4-(5-フルオロピリド-2-イル)-1,3-オキサゾール、
　2-(3-シアノフェニル)-4-(5-メトキシピリド-2-イル)-l,3-オキサゾール、
　2-(3-シアノフェニル)-4-(3-クロロ-5-トリフルオロメチルピリド-2-イル)-1,3-オキサゾール、
　2-(5-クロロ-2-メトキシフェニル)-4-(2-ピリジル)-1,3-オキサゾール、
　2-(2-クロロ-5-メチルチオフェニル)-4-(2-ピリジル)-1,3-オキサゾール、
　2-(2-ブロモ-5-メトキシフェニル)-4-(2-ピリジル)-1,3-オキサゾール、
　2-(2,5,6-トリフルオロフェニル)-4-(2-ピリジル)-1,3-オキサゾール、
　2-[3-クロロフェニル]-4-[ピリジン-2-イル]-1,3-オキサゾール、
　2-(2,5,6-トリフルオロフェニル)-4-(2-ピリジル)-1,3-オキサゾール、
　2-(3-ニトロフェニル)-4-(2-ピリジル)-1,3-オキサゾール、
　2-(3-ブロモフェニル)-4-(2-ピリジル)-1,3-オキサゾール、もしくは
　その薬学的に許容される塩から選択される化合物および製薬上許容される賦形剤を含む、医薬組成物。」
を
「　a)　式II：
【化２】（構造式省略）
（式中、
　
----
　XおよびYは、Nであり；
　Zは、Oであり；
　Ar1は、2-ピリジルであり、Ar2は、フェニルであり、ここで、Ar1およびAr2基のうちの少なくとも１つは、-F、-Cl、-Br、-I、-SR、-SOR、-SO2R、-SO2NRR'、-OCOR、-OCONRR'、-NRCOR'、-NRCO2R'、-CN、-CO2R、-CONRR'、-C(O)R、-CH(OR)R'、-CH2(OR)、および-Rからなる群から選択される1以上の基によって置換されており；
　ここで、RまたはR'は、H、CF3、C1-C10アルキル、シクロアルキル、アルキル-アリール、ヘテロシクロアルキル、アリールからなる群から選択され、その際、RとR'は結合して環を形成していてもよい。）
で表される化合物（ただし、3-(2-ピリジル)-5-(2-クロロフェニル)-1,2,4-オキサジアゾール
、
または3-(2-ピリジル)-5-フェニル-1,2,4-オキサジアゾール
　b)　3-(2-ピリジル)-5-[3-(トリフルオロメトキシ)フェニル]-1,2,4-オキサジアゾール、
　3-(2-ピリジル)-5-(2,3-ジフルオロフェニル)-1,2,4-オキサジアゾール、
　3-(2-ピリジル)-5-(3,5-ジメトキシフェニル)-1,2,4-オキサジアゾール、
　3-(5-フルオロピリド-2-イル)-5-(3,5-ジメトキシフェニル)-1,2,4-オキサジアゾール、
　3-(5-メトキシピリド-2-イル)-5-(3-シアノフェニル)-1,2,4-オキサジアゾール、
　3-(2-ピリジル)-5-(3-ニトロフェニル)-1,2,4-オキサジアゾール、
　2-[3-クロロフェニル]-4-[ピリジン-2-イル]-1,3-オキサゾール、
　2-(3,5-ジクロロフェニル)-4-(2-ピリジル)-1,3-オキサゾール、
　2-(3-クロロフェニル)-4-(2-ピリジル)-1,3-オキサゾール、
　2-(3-メトキシフェニル)-4-(2-ピリジル)-1,3-オキサゾール、
　2-(2-クロロフェニル)-4-(2-ピリジル)-1,3-オキサゾール、
　2-(3-トリフルオロフェニル)-4-(2-ピリジル)-1,3-オキサゾール、
　2-(3-メチルフェニル)-4-(2-ピリジル)-1,3-オキサゾール、
　2-(3-トリフルオロメトキシフェニル)-4-(2-ピリジル)-1,3-オキサゾール、
　2-(2,3-ジフルオロフェニル)-4-(2-ピリジル)-1,3-オキサゾール、
　2-(2,5-ジフルオロフェニル)-4-(2-ピリジル)-1,3-オキサゾール、
　2-(3,5-ジフルオロフェニル)-4-(2-ピリジル)-1,3-オキサゾール、
　2-(3-シアノフェニル)-4-(2-ピリジル)-1,3-オキサゾール、
　2-(3,5-ジメトキシフェニル)-4-(2-ピリジル)-1,3-オキサゾール、
　2-(2,3-ジクロロフェニル)-4-(2-ピリジル)-1,3-オキサゾール、
　2-(3-クロロ-5-シアノフェニル)-4-(2-ピリジル)-1,3-オキサゾール、
　2-(3-フルオロ-5-シアノフェニル)-4-(2-ピリジル)-1,3-オキサゾール、
　2-(3-クロロ-5-フルオロフェニル)-4-(2-ピリジル)-1,3-オキサゾール、
　2-(3-シアノフェニル)-4-(5-クロロピリド-2-イル)-1,3-オキサゾール、
　2-(3-シアノフェニル)-4-(5-フルオロピリド-2-イル)-1,3-オキサゾール、
　2-(3-シアノ-5-フルオロフェニル)-4-(5-フルオロピリド-2-イル)-1,3-オキサゾール、
　2-(3-シアノフェニル)-4-(3-フルオロピリド-2-イル)-1,3-オキサゾール、
　2-(3,5-ジメトキシフェニル)-4-(5-フルオロピリド-2-イル)-1,3-オキサゾール、
　2-(3-シアノフェニル)-4-(5-メトキシピリド-2-イル)-l,3-オキサゾール、
　2-(3-シアノフェニル)-4-(3-クロロ-5-トリフルオロメチルピリド-2-イル)-1,3-オキサゾール、
　2-(5-クロロ-2-メトキシフェニル)-4-(2-ピリジル)-1,3-オキサゾール、
　2-(2-クロロ-5-メチルチオフェニル)-4-(2-ピリジル)-1,3-オキサゾール、
　2-(2-ブロモ-5-メトキシフェニル)-4-(2-ピリジル)-1,3-オキサゾール、
　2-(2,5,6-トリフルオロフェニル)-4-(2-ピリジル)-1,3-オキサゾール、
　2-[3-クロロフェニル]-4-[ピリジン-2-イル]-1,3-オキサゾール、
　2-(2,5,6-トリフルオロフェニル)-4-(2-ピリジル)-1,3-オキサゾール、
　2-(3-ニトロフェニル)-4-(2-ピリジル)-1,3-オキサゾール、
　2-(3-ブロモフェニル)-4-(2-ピリジル)-1,3-オキサゾール、もしくは
　その薬学的に許容される塩から選択される化合物および製薬上許容される賦形剤を含む、医薬組成物。」 
と訂正することを求めるものである。 
　 
２．当審の判断 
　上記訂正は、訂正前の特許請求の範囲の請求項５の医薬組成物の有効成分である式IIで表される化合物から「3-(2-ピリジル)-5-フェニル-1,2,4-オキサジアゾール」を削除するものであるから、特許請求の範囲の減縮を目的とするものである。 
 そして、上記訂正が、願書に添付した明細書に記載した事項の範囲内のものであって、かつ、実質上特許請求の範囲を拡張し、又は変更するものではないことは明らかである。 
 また、訂正後における特許請求の範囲に記載されている事項により特定される発明が、特許出願の際独立して特許を受けることができないとする理由はない。 
 　 
３．むすび 
　したがって、本件審判の請求は、特許法第１２６条第１項第１号に掲げる事項を目的とし、かつ、同条第３項ないし第５項の規定に適合する。
 よって、結論のとおり審決する。